(57)【要約】【課題】各種規格を識別しやすくし、また標記が剥落せず、使用者がソケットをはっきりと識別できるソケット識別構造を提供する。      【解決手段】ソケット識別構造は、ソケットとカバー体から構成され、そのうち、カバー体は高分子有機化合物から製造され、高分子有機化合物を金型に入れて塑性着色カバー体を成形する。続いて機器による刻印又はレーザー印刷でカバー体表面にソケットのサイズを表示し、サイズの表示システムは常に使用しても剥がれにくい。ソケットの大直径部上には、大直径部に凹設した環状凹部と環状溝が旋盤加工され、塑性着色カバー体は回転し、可動識別構造を形成する。【選択図】図１
0003124111.tif 000002
【実用新案登録請求の範囲】
【請求項１】
ソケット識別構造において、
ソケット外周表面に回転方式で可動にしたカバー体を嵌合してなり、カバー体は高分子有
機化合物から製造された塑性着色環状体であり、ソケットの外周表面に回転可能に嵌合し
た着色カバー体により、ソケットのサイズを識別することを特徴とするソケット識別構造
。
【請求項２】
前記カバー体は、ソケット外周表面にカバー体のサイズに対応する深さの環状凹部を設
置することにより、ソケットからの脱落を防止してソケットの周りを回転することを特徴
とする請求項１記載のソケット識別構造。
【請求項３】
前記カバー体は、その内部に形成した凸部がソケットの大直径部に設けた環状溝と嵌合
してソケットの脱落を防止してソケットの周りを回転することを特徴とする請求項１記載
のソケット識別構造。
【請求項４】
前記カバー体は、表面に数値サイズ表示部が形成され、これにより、使用者に二種のサ
イズ識別効果を提供することを特徴とする請求項１又は２又は３記載のソケット識別構造
。
【請求項５】
前記カバー体は、Ｏ字型形状の環体であることを特徴とする請求項１記載のソケット識
別構造。
【請求項６】
前記カバー体は、開口部を具えたＣ字型形状の環体であることを特徴とする請求項１記
載のソケット識別構造。 
【考案の詳細な説明】
【技術分野】
【０００１】
本考案は、ソケット識別構造に関するもので、特に新規なソケット識別構造で、手工具
の技術分野に属するものである。
【背景技術】
【０００２】
今日、工業社会において、ネジ、ナット、スパナの使用機会は大変に多い。ネジ又はナ
ットは大きさ、規格、種類が非常に多く、作業をしやすくするため、小から大のサイズ規
格を具えたソケット工具セットは必携の工具である。
【０００３】
特許文献１及び２はインチ規格を含む識別しやすいソケットセットで、ソケット外周面
両端には各々凹んだ両環状溝が設置され、その両環状溝はすべて突起部を形成する。その
上には環状の平面色帯が固定され、更に保護膜又は金属インクでこの色帯を保護し、イン
チ規格の異なる色調で識別させる。特許文献３は、サイズを表示したソケットで、ソケッ
トの外周表面には滑り止め溝が設置され、凹刻標記を圧出し、この凹刻標記内に色を塗り
、研磨並びに電気メッキ処理を行う
【０００４】
【特許文献１】台湾  実用新案登録第１４４４６２号
【特許文献２】台湾  実用新案登録第１４４４６３号
【特許文献３】台湾  実用新案登録第２５１６８５号
【０００５】
以上の三案のソケットの識別方式は、全てソケットの本体に色層を塗り、保護膜又は電
気メッキ方式で色が脱落するのを防止する。
【考案の開示】
【考案が解決しようとする課題】
【０００６】
解決しようとする問題点は、ソケットは手作業工具のうち、常に使用する工具のひとつ
であるため、常に使用していると、疵や湿気等で保護膜や電気メッキ層が脱落したり、錆
びたりする点である。そのため、上述の欠点を改善する手段を提供することが必要である
。
【課題を解決するための手段】
【０００７】
本考案は、ソケット識別構造において、ソケットとカバー体から構成され、ソケット外
周表面に回転方式で可動にしたカバー体を嵌合してなり、カバー体は高分子有機化合物か
ら製造された塑性着色環状体であり、ソケットの外周表面に回転可能に嵌合した着色カバ
ー体により、ソケットのサイズを識別することを特徴とするソケット識別構造である。
【０００８】
そのうち、カバー体は高分子有機化合物から製造され、高分子有機化合物を金型に入れ
てカバー体を成形する。続いて機器による刻印又はレーザー印刷でカバー体表面にソケッ
トのサイズを表示し、サイズの表示システムは常に使用しても剥がれにくい。ソケットは
大直径部、小直径部と大直径部外周に複数設置した滑り止め溝を具える。ソケットの大直
径部上には、大直径部に凹設した環状凹部や環状溝が旋盤加工され、カバー体は大直径部
の軸心を回転中心として回転し、可動色識別構造を形成することを最も主要な特徴とする
。
【考案の効果】
【０００９】
本考案のソケット識別構造は、各種規格を識別しやすくし、また標記が剥落せず、使用
者がソケットをはっきりと識別できるという利点がある。
【実施例１】
【００１０】
先ず、図１〜３に示すとおり、本考案のソケット識別構造は、ソケット１０とカバー体
１２から構成される。そのうち、このカバー体１２は高分子有機化合物を金型圧でＯ字型
形状の環体を製造した塑性カバー体であり、この塑性カバー体１２は、軽量、化学安定性
、耐摩耗性が高く、かつコストが低い等の特性を具える。
【００１１】
更に高分子有機化合物で製造したカバー体１２は、顔料を用い、異なる色のカバー体を
成形して塑性着色環状体とし、ソケットに嵌合させて使用する。弾性カバーをソケット表
面に嵌めて回転する色のついたカバー体を使用者に提供し、ソケットのサイズ識別に利用
される。
【００１２】
当然、ソケットの外周表面に嵌合するカバー体は、金型で製造した異なる色設計により
、ソケットのサイズを識別する効果を具え、また機器で刻印するか、レーザプリント方式
により、着色したカバー体１２の表面に正確な数値のサイズ表示部１３を形成し、使用者
は色と表示部の二種の方法によってソケットのサイズを識別する方法を得る。
【００１３】
上述の本考案のソケット識別構造用カバー体を成型した後、ソケットに嵌合させる。図
１に示すとおり、本考案の大小の直径部を具えたソケットについて、説明する。実際に応
用する際は、如何なるものも制限するものではなく、単一外径のソケットも本考案の塑性
着色カバー体と合わせて、ソケットのサイズを識別する効果を具えることを先に述べてお
く。
【００１４】
図１に示すとおり、ソケット１０は、大直径部１４及び小直径部１６から構成される構
造体である。大直径部１４の外周表面には複数の滑り止め溝１８を具える。この他、ソケ
ット１０の大直径部１４の外周表面の適所にはカバー体１２のサイズに対応する深さの環
状凹部１７が設けられる。
【００１５】
その環状凹部１７を設ける目的は、一つに、環状凹部１７とソケット１０の大直径部１
４の外周表面の接合箇所が停止縁となり、ソケット１０の外周表面に嵌合するカバー体１
２が環状凹部１７に嵌まり、脱落を防止する。もう一つは、ソケット１０の外周表面より
やや低い環状凹部１７は、嵌め込む塑性着色カバー体１２の突出感を大幅に下げ、ソケッ
ト１０とカバー体１２が一体に融和して美観を高める。
【００１６】
この三者によって、ソケット１０の外周表面にやや突出して可動回転する着色カバー体
１２が樹脂の塑性材質で弾性を具えることにより、使用中に間違って落としたソケット１
０が地面との緩衝材になり、ソケット１０が疵つくのを防止する。
【００１７】
特に、塑性着色カバー体１２は、カバー体１２が着色して成型され、カバー体１２表面
に刻印された数値表示部１３によりソケット１０のサイズを識別することだけでなく、高
分子有機化合物で射出成型した樹脂着色カバー体１２は色が落ちることなく、耐摩耗性を
具え、防湿性を具えるためソケットのサイズ識別効果を長く保つ。これは公知のローラ印
刷、電気メッキ、黒染め等の技術とは異なる。
【００１８】
この他、本考案のカバー体１２は、ソケット１０のカバー体１２の内壁径よりやや小さ
い環状凹部１７内に回転可能に嵌合するため、ソケット１０の外周表面で回転し、カバー
体１２は可動回転方式とする設計である。そのため、ソケット収納工具上に差し込んだソ
ケット１０を垂直に配列しやすく、差し込み位置がサイズ表示部１３を遮蔽してしまって
いる時、ソケット１０上の着色カバー体１２だけを回転させると、カバー体１２の表面の
サイズ表示部１３が見える位置に移動するので、ソケット１０をわざわざ収納工具から外
して大きさを識別する必要がない。
【実施例２】
【００１９】
図２に示すのは、本考案のソケット識別構造の第二実施例である。本考案のカバー体１
２とソケット１０は、カバー体１２の内壁直径よりやや小さい径の環状溝１９内に嵌め、
このカバー体１２は、内部に形成した凸部１２１（図２（Ｃ））とソケット１０の大直径
部１４に対応する環状溝１９が嵌合し、カバー体１２は環状溝１９を滑動レールとしてソ
ケット１０の外周表面を回転する。カバー体１２が可動回転する方式の設計構造である。
【実施例３】
【００２０】
図３に示すのは、本考案のソケット識別構造の第三実施例であり、カバー体１２がＣ字
型形状の環体で、開口部１２２を具える。このソケット１０の大直径部１４の外周表面適
所にはカバー体１２のサイズに対応した深さの環状凹部１７が成形される。このカバー体
１２は、開口部１２２から横向にソケット１０の環状凹部１７上に嵌め込み、ソケット１
０の周辺を回転する。カバー体１２は可動回転する方式の設計構造である。
【００２１】
本考案のソケット識別構造は、カバー体１２をソケット１０の外周表面上に凹設した環
状凹部１７や環状溝１９にはめ込むことにより、本考案は、カバー体１２が可動回転する
機能を具える。このカバー体１２は高分子有機化合物から形成されたプラスチックで作ら
れ、表示部１３に耐摩耗性と耐衝撃性を具え、カバー体１２と表示部１３は同一製造工程
内で製造し、本考案のソケット識別構造は分業方式により、製造にかかる時間を節約し、
多種の表示方式をソケットに設けることによって識別する。
【図面の簡単な説明】
【００２２】
【図１】本考案のソケット識別構造の第一実施例を示す部分透視斜視図（Ａ）、（Ｂ）及び断面図（Ｃ）である。
【図２】本考案のソケット識別構造の第二実施例を示す部分透視斜視図（Ａ）、（Ｂ）及び断面図（Ｃ）である。
【図３】本考案のソケット識別構造の第三実施例を示す部分透視斜視図（Ａ）、（Ｂ）である。
【符号の説明】
【００２３】
１０        ソケット
１２        カバー体
１２１        凸部
１２２        開口部
１３        表示部
１４        大直径部
１６        小直径部
１７        環状凹部
１８        滑り止め溝
１９        環状溝
【図１】
0003124111.tif 000003
【図２】
0003124111.tif 000004
【図３】
0003124111.tif 000005